(57)【要約】【課題】既成の子守帯に対して簡単に装着して、乳幼児の頭部を安定的に支えることができる着脱自在のヘッドサポートを提供する。【解決手段】ヘッドサポート１０は、子守帯側の肩ベルトに取付ベルト１１を取り付けるための面ファスナ（第１取付具）１、取付ベルト１１に上ストラップ１２を取り付けるための面ファスナ（第２取付具）２、及び子守帯側の所定部位に下ストラップ１３を取り付けるための面ファスナ（第３取付具）のいずれもが、ヘッドサポート１０の着脱先となる子守帯側ではなく、ヘッドサポート１０側に設けられていて、子守帯側には、特別な構成（取付具の一部）を設ける必要がないため、多くの既成の子守帯に対して、ヘッドサポート１０を簡単に着脱することができる。【選択図】図２
2018161244.tif 000002
【特許請求の範囲】
【請求項１】
乳幼児を支える背当てと、前記背当てに連結されて使用者の左右の肩に掛けられる左右の肩ベルトとを有する子守帯に装着されて、乳幼児の頭部の姿勢を安定させる着脱自在なヘッドサポ―とにおいて、
前記左右の肩ベルトのそれぞれの頂部近傍に巻き付けて装着される着脱自在な左右の取付ベルトと、
前記子守帯に装着する着脱自在なサポート本体と、を備え、
前記サポート本体は、
前記乳幼児の頭部を後方から覆う布状のフード部と、
前記フード部における上部の左右両端部近傍からほぼ前方に延びて、前記左右の取付ベルトにそれぞれ取り付けられる着脱自在な左右の上ストラップと、
前記フード部における下部の左右両端部近傍から延びて、前記子守帯における前記頂部よりも下側に位置する所定部位に取り付けられる着脱自在な左右の下ストラップと、を有し、
前記肩ベルトに前記取付ベルトを取り付けるための第１取付具、前記取付ベルトに前記上ストラップを取り付けるための第２取付具、及び前記所定部位に前記下ストラップを取り付けるための第３取付具が、前記子守帯に着脱される前記ヘッドサポート側に設けられている、
ことを特徴とするヘッドサポート。
【請求項２】
前記第１取付具は、相互に係脱可能でいずれも前記取付ベルトに配設された第１凸部と第１凹部とを有し、
前記取付ベルトは、その一部を前記肩ベルトの前記頂部近傍に巻き付けた後、前記第１凸部と前記第１凹部とを係合させることで、前記肩ベルトに取り付けられる、
ことを特徴とする請求項１に記載のヘッドサポート。
【請求項３】
前記第２取付具は、相互に係脱可能でいずれも前記上ストラップに配設された第２凸部と第２凹部とを有し、
前記上ストラップは、その一部を前記取付ベルトに巻き付けた後、前記第２凸部と前記第２凹部とを係合させることで、前記取付ベルトに取り付けられる、
ことを特徴とする請求項１又は２に記載のヘッドサポート。
【請求項４】
前記第２取付具は、相互に係脱可能で一方が前記取付ベルトに配設され他方が前記上ストラップに配設された第２凸部と第２凹部とを有し、
前記上ストラップは、前記第２凸部と前記第２凹部とを係合させることで、前記取付ベルトに取り付けられる、
ことを特徴とする請求項１又は２に記載のヘッドサポート。
【請求項５】
前記第３取付具は、相互に係脱可能でいずれも前記下ストラップに配設された第３凸部と第３凹部とを有し、
前記下ストラップは、その一部を前記所定部位に巻き付けた後、前記第３凸部と前記第３凹部とを係合させることで、前記所定部位に取り付けられる、
ことを特徴とする請求項１ないし４のいずれか１項に記載のヘッドサポート。
【請求項６】
前記取付ベルトは、前記肩ベルトとの間の滑りを防止する滑り止めを有する、
ことを特徴とする請求項１ないし５のいずれか１項に記載のヘッドサポート。
【請求項７】
前記子守帯は、抱っこ紐及びおんぶ紐として兼用される、
ことを特徴とする請求項１ないし６のいずれか１項に記載のヘッドサポート。
【請求項８】
前記取付ベルト、前記上ストラップ、及び前記下ストラップが長さ調整可能である、
ことを特徴とする請求項１ないし７のいずれか１項に記載のヘッドサポート。
【発明の詳細な説明】
【技術分野】
【０００１】
抱っこ紐、おんぶ紐等の子守帯に装着して乳幼児の頭部を支える着脱自在なヘッドサポートに関する。
【背景技術】
【０００２】
抱っこ紐、おんぶ紐等の子守帯を使用して、乳幼児、特に首の座りが不十分な新生児を抱っこしたり、おんぶしたりすると、頭部が横や後ろに垂れて不安定になるおそれがある。
これを防止するために、フードを使用することが知られている。
特許文献１には、子守帯に対して、着脱可能なフードが開示されている。
【０００３】
このフードは、キャップ部材とこの前面両端に一端が固定された引っ張りバンドとによって構成されている。キャップ部材には、後面下端縁に沿ってスナップボタン列が設けられ、一方、ベースシート（背当てに相当）の上端にもスナップボタン列が設けられている。フードは、ベースシート側のスナップボタン列に、キャップ部材側のスナップボタン列を係合させることにより、子守帯に取り付けることができる。
【０００４】
さらに、引っ張りバンドには所定間隔で複数個のスナップボタンが設けられており、これらから選択した１個を、肩ベルトに設けられたスナップボタンに係合させることにより、フードの位置を調整することができる。
こうして位置調整したフードによって、乳幼児の頭部を安定的に保持することができる。
【先行技術文献】
【特許文献】
【０００５】
【特許文献１】特許第５９０２２６５号公報
【発明の概要】
【発明が解決しようとする課題】
【０００６】
しかしながら、上述の子守帯及びフードによると、子守帯にフードを装着するために、双方に専用のスナップボタン列を設ける必要があるため、例えば、そのフードを、スナップボタン列のない既成の子守帯に装着することができない、という問題があった。つまり、フードの汎用性がないという問題である。
【０００７】
本発明は、上述した事情に鑑みてなされたものであり、既成の子守帯に対して簡単に装着して、乳幼児の頭部を安定的に支えることができる着脱自在のヘッドサポート（フード）を提供することを目的とする。
【課題を解決するための手段】
【０００８】
請求項１に係る発明は、乳幼児を支える背当てと、前記背当てに連結されて使用者の左右の肩に掛けられる左右の肩ベルトとを有する子守帯に装着されて、乳幼児の頭部の姿勢を安定させる着脱自在なヘッドサポ―とにおいて、前記左右の肩ベルトのそれぞれの頂部近傍に巻き付けて装着される着脱自在な左右の取付ベルトと、前記子守帯に装着する着脱自在なサポート本体と、を備え、前記サポート本体は、前記乳幼児の頭部を後方から覆う布状のフード部と、前記フード部における上側の左右両端部近傍からほぼ前方に延びて、前記左右の取付ベルトにそれぞれ取り付けられる着脱自在な左右の上ストラップと、前記フード部における下側の左右両端部近傍から延びて、前記子守帯における前記頂部よりも下側に位置する所定部位に取り付けられる着脱自在な左右の下ストラップと、を有し、前記肩ベルトに前記取付ベルトを取り付けるための第１取付具、前記取付ベルトに前記上ストラップを取り付けるための第２取付具、及び前記所定部位に前記下ストラップを取り付けるための第３取付具が、前記子守帯に着脱される前記ヘッドサポート側に設けられている、ことを特徴とする。
【０００９】
請求項２に係る発明は、請求項１に係るヘッドサポートにおいて、前記第１取付具は、相互に係脱可能でいずれも前記取付ベルトに配設された第１凸部と第１凹部とを有し、前記取付ベルトは、その一部を前記肩ベルトの前記頂部近傍に巻き付けた後、前記第１凸部と前記第１凹部とを係合させることで、前記肩ベルトに取り付けられる、ことを特徴とする。
【００１０】
請求項３に係る発明は、請求項１又は２に係るヘッドサポートにおいて、前記第２取付具は、相互に係脱可能でいずれも前記上ストラップに配設された第２凸部と第２凹部とを有し、前記上ストラップは、その一部を前記取付ベルトに巻き付けた後、前記第２凸部と前記第２凹部とを係合させることで、前記取付ベルトに取り付けられる、ことを特徴とする。
【００１１】
請求項４に係る発明は、請求項１又は２に係るヘッドサポートにおいて、前記第２取付具は、相互に係脱可能で一方が前記取付ベルトに配設され他方が前記上ストラップに配設された第２凸部と第２凹部とを有し、前記上ストラップは、前記第２凸部と前記第２凹部とを係合させることで、前記取付ベルトに取り付けられる、ことを特徴とする。
【００１２】
請求項５に係る発明は、請求項１ないし４のいずれか１項に係るヘッドサポートにおいて、前記第３取付具は、相互に係脱可能でいずれも前記下ストラップに配設された第３凸部と第３凹部とを有し、前記下ストラップは、その一部を前記所定部位に巻き付けた後、前記第３凸部と前記第３凹部とを係合させることで、前記所定部位に取り付けられる、ことを特徴とする。
【００１３】
請求項６に係る発明は、請求項１ないし５のいずれか１項に係るヘッドサポートにおいて、前記取付ベルトは、前記肩ベルトとの間の滑りを防止する滑り止めを有する、ことを特徴とする。
【００１４】
請求項７に係る発明は、請求項１ないし６のいずれか１項に記載のヘッドサポートにおいて、前記子守帯は、抱っこ紐及びおんぶ紐として兼用される、ことを特徴とする。
【００１５】
請求項８に係る発明は、請求項１ないし７のいずれか１項に記載のヘッドサポートにおいて、前記取付ベルト、前記上ストラップ、及び前記下ストラップが長さ調整可能である、ことを特徴とする。
【発明の効果】
【００１６】
請求項１の発明によれば、ヘッドサポートは、子守帯側の肩ベルトに取付ベルトを取り付けるための第１取付具、取付ベルトに上ストラップを取り付けるための第２取付具、及び子守帯側の所定部位に下ストラップを取り付けるための第３取付具のいずれもが、ヘッドサポートの着脱先となる子守帯側ではなく、ヘッドサポート側に設けられている。
【００１７】
このため、子守帯側には、ヘッドサポートを着脱するための特別な構成（取付具の一部）を設ける必要がないので、多くの既成の子守帯に対して、ヘッドサポートを簡単に着脱することができる。つまり、ヘッドサポートは、特定の子守帯にのみ着脱可能な専用のものではなく、肩ベルトを有する一般的な子守帯に対して着脱可能な汎用のものとすることができる。
【００１８】
請求項２の発明によれば、取付ベルトは、いずれも取付ベルト側に配設された第１凸部と第１凹部とを係脱することで、子守帯の肩ベルトの頂部近傍に簡単に着脱することができる。
【００１９】
請求項３の発明によれば、上ストラップは、いずれも上ストラップ側に配設された第２凸部と第２凹部とを係脱することで、子守帯の肩ベルトに装着された取付ベルトに対し、簡単に着脱することができる。
【００２０】
請求項４の発明によれば、上ストラップは、取付ベルト側と上ストラップ側のうちの一方に配設された第２凸部（又は第２凹部）と他方に配設された第２凹部（又は第２凸部）とを係脱することで、子守帯の肩ベルトに装着された取付ベルトに対し、簡単に着脱することができる。
【００２１】
請求項５の発明によれば、下ストラップは、いずれも下ストラップ側に配設された第３凸部と第３凹部とを係脱することで、子守帯の所定部位に簡単に着脱することができる。
請求項６の発明によれば、子守帯の肩ベルトの頂部近傍に装着した取付ベルトが、不要に移動するのを抑制することができる。
請求項７の発明によれば、ヘッドサポートは、子守帯を使用して抱っこ又はおんぶした双方の乳幼児に対して、有効に利用することができる。
【００２２】
請求項８の発明によれば、上ストラップ及び下ストラップは、長さ調整可能であるので、フード部を乳幼児の頭部にフィットさせて、頭部の良好な姿勢を保持することができる。
【図面の簡単な説明】
【００２３】
【図１】図１〜図５は実施形態１を説明する図であり、このうち、図１はヘッドサポート１０を、乳幼児用肩ベルト２４を有する子守帯２０に装着した状態を示す図である。
【図２】（Ａ）は左右の取付ベルト１１を示す図であり、（Ｂ）はサポート本体１５を示す図である。
【図３】別の子守帯３０にヘッドサポート１０を装着した例を示す図である。
【図４】別の子守帯４０にヘッドサポート１０を装着した例を示す図である。
【図５】別の子守帯５０にヘッドサポート１０を装着した例を示す図である。
【図６】図６〜図８は実施形態２を説明する図であり、このうち、図６（Ａ）は左右の取付ベルト１１Ａを示す図であり、（Ｂ）はサポート本体１５Ａを示す図である。
【図７】左右の肩ベルト６２に左右の取付ベルト１１Ａを取り付けた状態を示す図である。
【図８】ヘッドサポート１０Ａを子守帯６０に装着した状態を示す図である。
【発明を実施するための形態】
【００２４】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図２を参照して、実施形態１に係るヘッドサポート１０及び子守帯２０について説明する。
【００２５】
ここで、図１は、ヘッドサポート１０を、乳幼児用肩ベルト２４を有する子守帯２０に装着した状態を示す図である。また、図２（Ａ）は、左右の取付ベルト１１を示す図であり、図２（Ｂ）は、サポート本体１５を示す図である。
まず、図１を参照して、ヘッドサポート１０の装着先となる子守帯２０について説明する。
【００２６】
子守帯２０は、抱っこ紐あるいはおんぶ紐と呼ばれ、親等の使用者Ｍが、乳幼児Ｎを抱っこあるいはおんぶする際に使用するものである。なお、図１では、おんぶする例を示している。
【００２７】
子守帯２０は、図１に示すように、乳幼児Ｎのお尻から背中に掛けてを支持する背当て２１と、使用者Ｍが左右の肩に掛ける左右の肩ベルト２２（右の肩ベルト２２のみ図示）とを備えている。
【００２８】
肩ベルト２２は、一方の端部２２ａが、背当て２１における尻を経由して乳幼児Ｎの前側に位置する部分に連結されている。また、他方の端部は、背当て２１における乳幼児Ｎの腰に対応する部分に連結されていて、乳幼児用腰ベルト２２ｂとして作用する。ここで、使用者Ｍが肩に掛けた際の肩ベルト２２における最も高くに位置する部分を頂部２２ｔとする。
【００２９】
乳幼児用腰ベルト２２ｂの下方には、背当て２１の下端部に取り付けられるとともに、使用者Ｍの腰に装着される腰ベルト２３が配設されている。さらに、背当て２１における上部２１ａの左右両端部からは、左右の乳幼児用肩ベルト２４（右の乳幼児用肩ベルト２４のみ図示）が延びていて、その先端は、左右の肩ベルト２２における頂部２２ｔと端部２２ａとの間に連結されている。
つづいて、図１、図２を参照して、ヘッドサポート１０について説明する。
ヘッドサポート１０は、図１、図２に示すように、左右の取付ベルト１１とサポート本体１５とを備えている。
【００３０】
このうち、取付ベルト１１は、帯状の布状部材によって形成されている。取付ベルト１１には、これを子守帯２０の肩ベルト２２の頂部２２ｔ近傍に取り付けるための面ファスナ（第１取付具）１が設けてある。面ファスナ１は、相互に係脱可能なフック面側（第１凸部）１ａとループ面側（第１凹部）１ｂとによって構成されている。フック面側１ａは、取付ベルト１１の一方の面、例えば、外面（表面）１１ａにおける一方の端部に配設され、また、ループ面側１ｂは、他方の面、例えば、内面（裏面）１１ｂにおける他方の端部に配設されている。さらに、内面１１ｂには、ゴム等の滑り止めＳが設けられている。
サポート本体１５は、布状のフード部１４、左右の上ストラップ１２、及び左右の下ストラップ１３を有している。
【００３１】
このうち、フード部１４は、乳幼児Ｎの頭部を後方から覆う、ほぼ矩形の布状部材によって形成されている。フード部１４は、平面状に限らず、例えば、乳幼児Ｎの後頭部の形状に倣った凸状であってもよい。また、フード部１４は、一部又は全部が、伸縮性、あるいは通気性の素材で形成されていてもよい。
左右の上ストラップ１２は、フード部１４の上部の左右両端部近傍からそれぞれほぼ前方に延びている。
【００３２】
右の上ストラップ１２は、帯状の布状部材によって形成されていて、基端部がフード部１４の上部の右端部１４ｂに固定されている。右の上ストラップ１２には、これを右の取付ベルト１１に取り付けるための面ファスナ（第２取付具）２が設けてある。面ファスナ２は、相互に係脱可能なフック面側（第２凸部）２ａとループ面側（第２凹部）２ｂとを有している。このうちフック面側２ａは、右の上ストラップ１２の外面１２ａにおける先端部に配設され、また、ループ面側２ｂは、同じく外面１２ａの中間部に配設されている。なお、この逆に、フック面側２ａを中間部に、また、ループ面側２ｂを先端部に配設してもよい。
左の上ストラップ１２は、基端部がフード部１４の上部の左端部１４ａ近傍に固定されている点を除き、他は上述の右の上ストラップ１２と同様である。
左右の下ストラップ１３は、フード部１４の下部の左右両端部近傍からそれぞれ延びている。
【００３３】
右の下ストラップ１３は、帯状の布状部材によって形成されていて、中間部がフード部１４の下部の右端部１４ｄに固定されている。右の下ストラップ１３には、これを右の乳幼児用肩ベルト（所定部位）２４に取り付けるための面ファスナ（第３取付具）３が設けてある。面ファスナ３は、相互に係脱可能なフック面側（第３凸部）３ａとループ面側（第３凹部）３ｂとを有している。このうちフック面側３ａは、右の下ストラップ１３の内面１３ａにおける一方の先端部に配設され、また、ループ面側３ｂは、外面１３ｂにおける他方の端部に配設されている。なお、フック面側３ａとループ面側３ｂとは逆に配設してもよい。また、右の下ストラップ１３は、上述のように、その中間部をフード部１４の下部の右端部１４ｄ近傍に固定するのに代えて、２本の帯状の布状部材のそれぞれの基端部を下部の右端部１４ｄ近傍に固定して構成するようにしてもよい。
左の下ストラップ１３は、中間部がフード部１４の下部の左端部１４ｃ近傍に固定されている点を除き、他は上述の右の下ストラップ１３と同様である。
上述構成のヘッドサポート１０は、上述構成の子守帯２０に対して、以下の（１）〜（３）の手順で装着することができる。
（１）取付ベルト１１を子守帯２０の肩ベルト２２に、面ファスナ（第１取付具）１によって取り付ける。
【００３４】
肩ベルト２２の頂部２２ｔ近傍に、取付ベルト１１を、その内面１１ｂの滑り止めＳが当たるようにして巻き付けて、面ファスナ１のループ面側１ｂにフック面側１ａを貼り合わせる（係合させる）。
以上を、左右の取付ベルト１１について行うことにより、左右の取付ベルト１１を左右の肩ベルト２２の頂部２２ｔ近傍に取り付けることができる。
（２）ヘッドサポート１０の上ストラップ１２を取付ベルト１１に、面ファスナ（第２取付具）２によって取り付ける。
【００３５】
取付け後の取付ベルト１１と肩ベルト２２との間に、上ストラップ１２の先端側を潜り込ませ、巻き付けるように折り返した後、面ファスナ２のフック面側２ａをループ面側２ｂに張り合わせる（係合させる）。
以上を、左右の上ストラップ１２について行うことにより、左右の上ストラップ１２を左右の取付ベルト１１に取り付けることができる。
（３）下ストラップ１３を乳幼児用肩ベルト２４の下部に、面ファスナ（第３取付具）３によって取り付ける。
【００３６】
サポート本体１５のフード部１４の下端部を、子守帯２０の背当て２１の上部２１ａに重ね、乳幼児用肩ベルト２４の下部に、下ストラップ１３を巻き付けた後、面ファスナ３のフック面側３ａをループ面側３ｂに貼り合わせる（係合させる）。なお、上述の乳幼児用肩ベルト２４の下部が、肩ベルト２２の頂部２２ｔよりも下側に位置する所定部位に相当する。
以上を、左右の下ストラップ１３について行うことにより、左右の下ストラップ１３を左右の乳幼児用肩ベルト２４に取り付けることができる。
なお、上述の手順（１）〜（３）は、適宜変更することができる。
【００３７】
例えば、ヘッドサポート１０の使用が予想させる場合には、あらかじめ（１）と（３）を行って、ヘッドサポート１０のフード部１４を上下逆さに垂らしておき、実際に使用する際に、（２）を行うようにしてもよい。この場合には、ヘッドサポート１０の速やかな装着が可能であり、また、ヘッドサポート１０を別個に持ち歩く必要がない。
【００３８】
ところで、ヘッドサポート１０の装着先となる子守帯は、構成の異なる種々のものがある。上述のヘッドサポート１０は、左右の肩ベルト２２を有する子守帯２０であれば、他の部分の構成が異なった場合であっても、ほとんどの子守帯に装着することが可能である。
【００３９】
図３、図４、図５を参照して、構成の異なる子守帯３０，４０，５０に、ヘッドサポート１０を簡単に装着できる例を説明する。なお、子守帯３０，４０，５０は、いずれも左右の肩ベルト３２，４２，５２を有していて、ヘッドサポート１０の取付ベルト１１、及び上ストラップ１２の取付位置及び取付方法は、上述の子守帯２０の場合と同様である。これに対し、子守帯３０，４０，５０は、下ストラップ１３の取付位置（所定部位）が、上述の子守帯２０とは異なる。
【００４０】
図３に示す子守帯３０は、背当て３１、肩ベルト３２、腰ベルト３３、乳幼児用肩ベルト３４を有している。肩ベルト３２の端部３２ｂは背当て３１に連結されている。
【００４１】
ヘッドサポート１０は、上述の子守帯２０の場合と同様、取付ベルト１１が肩ベルト３２の頂部３２ｔ近傍に取り付けられ、また、上ストラップ１２が取付ベルト１１に取り付けられている。一方、下ストラップ１３は、上述の子守帯２０では乳幼児用肩ベルト２４に取り付けられていたのとは異なり、肩ベルト３２の端部（乳幼児用腰ベルト）３２ｂに取り受けられている。
つまり、図３に示す子守帯３０では、肩ベルト３２の端部（乳幼児用腰ベルト）３２ｂが頂部４２ｔよりも下側に位置する所定部位となる。
図４に示す子守帯４０は、背当て４１、相互に交差した肩ベルト４２を有している。肩ベルト４２の端部４２ｂは背当て３１に連結されている。
【００４２】
ヘッドサポート１０は、上述の子守帯２０の場合と同様、取付ベルト１１が肩ベルト４２の頂部４２ｔ近傍に取り付けられ、また、上ストラップ１２が取付ベルト１１に取り付けられている。一方、下ストラップ１３は、上述の子守帯２０では乳幼児用肩ベルト２４に取り付けられていたのとは異なり、左の下ストラップ１３の一部と右の下ストラップ１３の一部とによって背当て４１を抱きかかえ、左の下ストラップ１３の面ファスナ３のループ面側３ｂに右の下ストラップ１３の面ファスナ３のフック面側３ａを貼り付けるようにしている。
つまり、図４に示す子守帯４０では、背当て４１が頂部４２ｔよりも下側に位置する所定部位となる。
【００４３】
図５に示す子守帯５０は、背当て５１、肩ベルト５２、腰ベルト５３を有している。肩ベルト５２は、端部５２ａが下方に延びて、背当て５１と一体になっている。
【００４４】
ヘッドサポート１０は、上述の子守帯２０の場合と同様、取付ベルト１１が肩ベルト５２の頂部５２ｔ近傍に取り付けられ、また、上ストラップ１２が取付ベルト１１に取り付けられている。一方、下ストラップ１３は、上述の子守帯２０では乳幼児用肩ベルト２４に取り付けられていたのとは異なり、肩ベルト５２の端部５２ａに取り付けられている。
つまり、図５に示す子守帯５０では、肩ベルト５２の端部５２ａが頂部５２ｔよりも下側に位置する所定部位となる。
以下に、上述したヘッドサポート１０の作用、効果をまとめる。
【００４５】
・ヘッドサポート１０は、子守帯２０，３０，４０，５０側の肩ベルト２２，３２，４２，５２に取付ベルト１１を取り付けるための面ファスナ（第１取付具）１、取付ベルト１１に上ストラップ１２を取り付けるための面ファスナ（第２取付具）２、及び子守帯２０，３０，４０，５０側の所定部位に下ストラップ１３を取り付けるための面ファスナ（第３取付具）のいずれもが、ヘッドサポート１０の着脱先となる子守帯２０，３０，４０，５０側ではなく、ヘッドサポート１０側に設けられている。
【００４６】
このため、子守帯２０，３０，４０，５０側には、ヘッドサポート１０を着脱するための特別な構成（取付具の一部）を設ける必要がないので、多くの既成の子守帯に対して、ヘッドサポートを簡単に着脱することができる。つまり、ヘッドサポート１０は、特定の子守帯にのみ着脱可能な専用のものではなく、一般的な子守帯に対して着脱可能な汎用のものとすることができる。
【００４７】
・取付ベルト１１は、いずれも取付ベルト１１側に配設されたフック面側１ａ（第１凸部）とループ面側（第１凹部）１ｂとを係脱することで、子守帯２０，３０，４０，５０の肩ベルト２２，３２，４２，５２の頂部２２ｔ，３２ｔ，４２ｔ，５２ｔ近傍に簡単に着脱することができる。
【００４８】
・上ストラップ１２は、いずれも上ストラップ１２側に配設されたフック面側（第２凸部）２ａとループ面側（第２凹部）２ｂとを係脱することで、子守帯２０，３０，４０，５０の肩ベルト２２，３２，４２，５２に装着された取付ベルト１１に対し、簡単に着脱することができる。
【００４９】
・下ストラップ１３は、いずれも下ストラップ１３側に配設されたフック面側（第３凸部）３ａとループ面側（第３凹部）３ｂとを係脱することで、子守帯２０，３０，４０，５０の所定部位に簡単に着脱することができる。
【００５０】
・取付ベルト１１は、滑り止めＳを有しているので、子守帯２０，３０，４０，５０の肩ベルト２２，３２，４２，５２の頂部２２ｔ，３２ｔ，４２ｔ，５２ｔ近傍に装着した取付ベルト１１が、不要に移動するのを抑制することができる。
・ヘッドサポート１０は、子守帯２０，３０，４０，５０を使用して抱っこ又はおんぶした双方の乳幼児Ｎに対して、有効に利用することができる。
【００５１】
・上ストラップ１２及び下ストラップ１３は、長さ調整可能であるので、フード部１４を乳幼児Ｎの頭部にフィットさせて、頭部の良好な姿勢を保持することができる。
＜実施形態２＞
図６〜図８を参照して、実施形態２のヘッドサポート１０Ａについて説明する。
【００５２】
ここで、図６（Ａ）は、左右の取付ベルト１１Ａを示す図であり、図６（Ｂ）は、サポート本体１５Ａを示す図である。また、図７は、子守帯６０の左右の肩ベルト６２に左右の取付ベルト１１Ａを取り付けた状態を示す図である。また、図８は、ヘッドサポート１０Ａを、子守帯６０に装着した状態を示す図である。
【００５３】
なお、ヘッドサポート１０Ａは、実施形態１のヘッドサポート１０における面ファスナ（第１取付具）２に代えて、スナップボタン（第２取付具）４を設けた点が異なる。他の構成は同様であるので、同様の構成には、同様の符号を付して、適宜説明を省略する。
【００５４】
ヘッドサポート１０Ａは、取付ベルト１１Ａとサポート本体１５Ａとを備えており、さらに、サポート本体１５Ａは、フード部１４、左右の上ストラップ１２Ａ、及び左右の下ストラップ１３を有している。
【００５５】
取付ベルト１１Ａは、図１（Ａ）に示す取付ベルト１１の外面１１ａにおける長さ方向のほぼ中央に、スナップボタン（第２取付具）４の凹側４ｂを設けたものである。
【００５６】
上ストラップ１２Ａは、帯状の布状部材によって形成されていて、基端部がフード部１４の上部の端部に固定されている。上ストラップ１２Ａは、先端側における内面（外面１２ａの反対側の面）にスナップボタン４の凸側４ａが複数配設されている。
【００５７】
取付ベルト１１Ａは、図６、図７に示すように、肩ベルト６２の頂部６２ｔ近傍に、内面１１ｂの滑り止めＳが当たるようにして巻き付けて、面ファスナ１のループ面側１ｂにフック面側１ａを貼り合わせる（係合させる）ことにより、肩ベルト６２に取り付けることができる。これにより、スナップボタン４の凹側４ｂが露出される。
【００５８】
この凹側４ｂに対して、上ストラップ１２Ａの複数個の凸側４ａのうちの１個を係合させることにより、上ストラップ１２Ａを取付ベルト１１Ａに取り付けることができる。
【００５９】
本実施形態によれば、取付ベルト１１Ａに上ストラップ１２Ａを取り付ける際に、実施形態１とは異なり、上ストラップ１２Ａの先端側を取付ベルト１１Ａと肩ベルト６２との間に潜り込ませたり、折り返したりする必要がないので、一層、容易に取り付けることができるという効果を奏する。
【００６０】
なお、上述の実施形態１では、第１取付具として面ファスナ１を、また第３取付具として面ファスナ３を使用していたが、これらに代えてスナップボタンを使用することもできる。
【００６１】
さらに、第１取付具、第２取付具、及び第３取付具としては、相互の係脱が容易であれば、面ファスナやスナップボタン以外の部材を使用することも可能である。
【符号の説明】
【００６２】
１      面ファスナ（第１取付具）
１ａ    フック面側（第１凸部）
１ｂ    ループ面側（第１凹部）
２      面ファスナ（第２取付具）
２ａ    フック面側（第２凸部）
２ｂ    ループ面側（第２凹部）
３      面ファスナ（第３取付具）
３ａ    フック面側（第３凸部）
３ｂ    ループ面側（第３凹部）
４      スナップボタン（第２取付具）
４ａ    凸側（第２凸部）
４ｂ    凹側（第２凹部）
１０、１０Ａ    ヘッドサポート
１１、１１Ａ    取付ベルト
１２、１２Ａ    上ストラップ
１３    下ストラップ
１４    フード部
１５、１５Ａ    サポート本体
２０，３０，４０，５０，６０    子守帯
２１，３１，４１，５１，６１    背当て
２２，３２，４２，５２，６２    肩ベルト
２２ｔ，３２ｔ，４２ｔ，５２ｔ，６２ｔ    頂部
Ｍ      使用者
Ｎ      乳幼児
【図１】
2018161244.tif 000003
【図２】
2018161244.tif 000004
【図３】
2018161244.tif 000005
【図４】
2018161244.tif 000006
【図５】
2018161244.tif 000007
【図６】
2018161244.tif 000008
【図７】
2018161244.tif 000009
【図８】
2018161244.tif 000010